(57)【要約】【課題】各端子の信号状態を含む端子関連情報に関する確認作業を容易に実施できる配電盤試験監視装置を得る。【解決手段】配電盤内に設置されている端子台に装着されることで、端子台を構成する各端子と接続される端子台試験用装置（５）と、端子台試験用装置から出力される情報の受信結果に基づいて、端子関連情報の表示を行うタブレット（７）とを備えた配電盤試験監視装置であって、端子台試験用装置は、各端子の接続状態を切り替え設定するリレー接点回路（９、１０）と、リレー接点回路により切り替え設定された接続状態における各端子の信号状態を検出する信号状態検知回路（１１）とを有し、タブレットは、信号状態検知回路による検知結果に基づいて、各端子の信号状態を端子関連情報として表示する【選択図】図３
2017110987.tif 000002
【特許請求の範囲】
【請求項１】
配電盤内に設置されている端子台に装着されることで、前記端子台を構成する各端子と接続される端子台試験用装置と、
前記端子台試験用装置から出力される情報の受信結果に基づいて、端子関連情報の表示を行うタブレットと
を備えた配電盤試験監視装置であって、
前記端子台試験用装置は、
前記各端子の接続状態を切り替え設定するリレー接点回路と、
前記リレー接点回路により切り替え設定された前記接続状態における各端子の信号状態を検出する信号状態検知回路と
を有し、
前記タブレットは、前記信号状態検知回路による検知結果に基づいて、各端子の信号状態を前記端子関連情報として表示する
配電盤試験監視装置。
【請求項２】
前記タブレットは、オペレータによる操作入力に応じて、前記各端子の接続状態を切り替えるための切り替え指令を出力する内部回路を有し、
前記端子台試験用装置は、
前記切り替え指令のオンオフ状態に応じてオン状態またはオフ状態のいずれかに切り替え動作を行うトランジスタ回路と、
前記トランジスタ回路のオンオフ状態に応じて、前記リレー接点回路を切り替え設定するリレー駆動回路と
をさらに有する
請求項１に記載の配電盤試験監視装置。
【請求項３】
前記端子台試験用装置は、前記端子台に貼り付けられたタグシートに含まれている位置情報を無線通信により読み取る位置情報読み取り回路をさらに有し、
前記タブレットは、前記位置情報読み取り回路によって読み取られた前記位置情報を前記前記端子台試験用装置から受信し、前記位置情報も加えて、前記端子関連情報として表示する
請求項１または２に記載の配電盤試験監視装置。
【請求項４】
配電盤内に設置されている、器具取り付け用のソケットに装着されることで、前記ソケットと接続された各第１端子と接続される器具試験用装置と、
前記器具試験用装置から出力される情報の受信結果に基づいて、タブレット上に端子関連情報の表示を行うタブレットと
を備えた配電盤試験監視装置であって、
前記タブレットは、オペレータによる操作入力に応じて、前記各第１端子の接続状態を切り替えるための切り替え指令を出力する内部回路を有し、
前記器具試験用装置は、
前記各第１端子の接続状態を切り替え設定するリレー接点回路と、
前記切り替え指令のオンオフ状態に応じてオン状態またはオフ状態のいずれかに切り替え動作を行うトランジスタ回路と、
前記トランジスタ回路のオンオフ状態に応じて、前記リレー接点回路を切り替え設定するリレー駆動回路と
前記リレー接点回路により切り替え設定された前記接続状態における各第１端子の信号状態を検出する第１の信号状態検知回路と
を有し、
前記タブレットは、前記切り替え指令に応じた、前記第１の信号状態検知回路による検知結果に基づいて、各第１端子の信号状態を前記端子関連情報として表示する
配電盤試験監視装置。
【請求項５】
前記器具試験用装置は、前記ソケットに隣接して貼り付けられたタグシートに含まれている位置情報を無線通信により読み取る位置情報読み取り回路をさらに有し、
前記タブレットは、前記位置情報読み取り回路によって読み取られた前記位置情報を前記前記器具試験用装置から受信し、前記位置情報も加えて、前記端子関連情報として表示する
請求項４に記載の配電盤試験監視装置。
【請求項６】
配電盤内に設置されている端子台に装着されることで、前記端子台を構成する各第２端子と接続される端子台試験用装置をさらに備え、
前記器具試験用装置は、複数のソケットにそれぞれ装着される複数の器具試験用装置で構成され、前記複数の器具試験用装置は、第１ケーブルにより相互に接続されており、
前記端子台試験用装置は、
前記複数の器具試験用装置のうちの１台の器具試験用装置と第２ケーブルにより接続され、
前記各第２端子の接続状態を切り替え設定する第２のリレー接点回路と、
前記第２のリレー接点回路により切り替え設定された前記接続状態における各第２端子の信号状態を検出する第２の信号状態検知回路と
を有し、
前記タブレットは、第１の信号状態検知回路による検知結果に基づく各第１端子の信号状態と、前記第２の信号状態検知回路による検知結果に基づく各第２端子の信号状態とを併合して、前記端子関連情報として表示する
請求項４または５に記載の配電盤試験監視装置。
【発明の詳細な説明】
【技術分野】
【０００１】
本発明は、配電盤試験を簡単に行うための配電盤試験監視装置に関するものである。
【背景技術】
【０００２】
従来、試験時において、端子の信号状態の確認を行う場合には、コモン線-シグナル線間にテスターを使用し、線間電圧の確認を行うことで、信号状態の有無を確認している。また、端子台で短絡することで信号を模擬的に入力するような場合には、端子台へ仮配線を行っている。
【０００３】
さらに、端子台の信号項目を確認するには、盤内に記した位置符号を元に、展開接続図、端子図等の紙図面と照合することで確認を行っている。
【０００４】
また、従来の端子台試験用治具では、端子台治具部を手動にて接触させ、コネクタ配線にて試験用の模擬スイッチへ接続し、スイッチ動作により端子間接続を行うものがある（例えば、特許文献１参照）。
【先行技術文献】
【特許文献】
【０００５】
【特許文献１】実開平２−２７５７０号公報
【発明の概要】
【発明が解決しようとする課題】
【０００６】
しかしながら、従来技術には、以下のような課題がある。
従来の試験時に、端子等の信号状態の確認を行う場合には、各コモン線−シグナル線間において、テスターによる線間電圧を測定することにより、信号状態の有無を確認している。このため、確認する配線数が多くなるほど、作業時間が掛る課題がある。
【０００７】
また、端子台の信号項目を確認するには、配電盤内の端子台位置符号から、その部位に相当する展開接続図・端子図の紙図面より、シーケンス回路を読み解いて、端子台の信号項目を確認する必要がある。このため、作業時間が掛ってしまう問題点がある。
【０００８】
さらに、端子間接続して模擬回路を構築するような場合には、仮配線する必要がある。このため、専門の作業員による配線作業が必要となり、作業時間が掛る。また、端子が多数並んでいるため、配線間違いをする可能性があるなどの問題点があった。
【０００９】
また、特許文献１における従来の試験用端子台治具では、端子台治具部を手動にて作動させることで、端子を治具へ接触させなければならない。また、模擬回路を構築する場合には、試験用模擬スイッチを設け、試験用端子台治具のコネクタより仮配線することが必要である。このため、専門の作業員による配線作業が必要であり、作業時間が掛る問題点があった。
【００１０】
本発明は、上記のような課題を解決するためになされたものであり、各端子の信号状態を含む端子関連情報に関する確認作業を容易に実施できる配電盤試験監視装置を得ることを目的とする。
【課題を解決するための手段】
【００１１】
本発明に係る配電盤試験監視装置は、配電盤内に設置されている端子台に装着されることで、端子台を構成する各端子と接続される端子台試験用装置と、端子台試験用装置から出力される情報の受信結果に基づいて、端子関連情報の表示を行うタブレットとを備えた配電盤試験監視装置であって、端子台試験用装置は、各端子の接続状態を切り替え設定するリレー接点回路と、リレー接点回路により切り替え設定された接続状態における各端子の信号状態を検出する信号状態検知回路とを有し、タブレットは、信号状態検知回路による検知結果に基づいて、各端子の信号状態を端子関連情報として表示するものである。
【発明の効果】
【００１２】
本発明によれば、配電盤内の端子台あるいはソケットに試験用装置を装着し、各端子の信号状態を含む端子関連情報を、試験用装置を介してタブレット上に表示させることのできる構成を備えている。この結果、各端子の信号状態を含む端子関連情報に関する確認作業を容易に実施できる配電盤試験監視装置を得ることができる。
【図面の簡単な説明】
【００１３】
【図１】本発明の実施の形態１における配電盤試験監視装置の構成および配線状態を示す斜視図である。
【図２】本発明の実施の形態１における配電盤試験監視装置に含まれている端子台試験用装置の構成を示す斜視図である。
【図３】本発明の実施の形態１における配電盤試験監視装置の回路図である。
【図４】本発明の実施の形態２における配電盤試験監視装置の回路図である。
【図５】本発明の実施の形態３における配電盤試験監視装置の構成および配線状態を示す斜視図である。
【図６】本発明の実施の形態３におけるタブレット７上に表示された端子図を示す説明図である。
【図７】本発明の実施の形態４における配電盤試験監視装置の構成および配線状態を示す斜視図である。
【図８】本発明の実施の形態４における配電盤試験監視装置に含まれている器具試験用装置の構成を示す斜視図である。
【図９】本発明の実施の形態４における配電盤試験監視装置の回路図である。
【図１０】本発明の実施の形態４におけるタブレット７上に表示された端子図を示す説明図である。
【図１１】本発明の実施の形態５における配電盤試験監視装置の構成および配線状態を示す斜視図である。
【発明を実施するための形態】
【００１４】
以下、本発明の配電盤試験監視装置の好適な実施の形態につき図面を用いて説明する。
【００１５】
実施の形態１．
図１は、本発明の実施の形態１における配電盤試験監視装置の構成および配線状態を示す斜視図である。また、図２は、本発明の実施の形態１における配電盤試験監視装置に含まれている端子台試験用装置の構成を示す斜視図である。さらに、図３は、本発明の実施の形態１における配電盤試験監視装置の回路図である。
【００１６】
本実施の形態１における配電盤試験監視装置は、端子台試験用装置５とタブレット７とを含んで構成され、端子台試験用装置５とタブレット７は、専用ケーブル６を介して接続されている。
【００１７】
一方、検査対象である端子台２は、端子台取付部１に取り付けられるとともに、結線４が端子台ネジ部３に接続されている。そして、本実施の形態１における配電盤試験監視装置は、端子台２に対して端子台試験用装置５を接続し、タブレット７に必要な監視情報を表示させることができる構成となっている。
【００１８】
図１においては、端子台ネジ３ａにより結線４ａが接続固定され、端子台ネジ４ｂに結線４ｂが接続固定されている場合を例示している。また、図２に示すように、端子台試験用装置５は、端子台２に接続されることで端子台ネジ部３と接触する接触子８を備えている。図２においては、端子台ネジ３ａと接触する接触子８ａと、端子台ネジ３ｂと接触する接触子８ｂを例示している。
【００１９】
また、図３に示すように、本実施の形態１における端子台試験用装置５は、コモン識別接点９、コモン共有接点１０、および電圧検知回路１１を備えて内部回路１３が構成されている。ここで、電圧検知回路１１は、入力信号変換部およびＡ／Ｄ変換部からなる回路を、接触子８の個数分備えている。図３においては、端子台ネジ３ａと接触する接触子８ａと、端子台ネジ３ｂと接触する接触子８ｂの回路を、上段に示している。
【００２０】
次に、図１〜図３に基づいて、本実施の形態１における配電盤試験監視装置の具体的な機能について、詳細に説明する。配電盤内における端子台取付部１には、端子台２が設置されており、端子台２には、結線４が接続されている。
【００２１】
そして、結線４の信号状態を確認するために、端子台試験用装置５を端子台２へ設置することで、端子台ネジ部３と接触子８とが接触される。
さらに、端子台試験用装置５とタブレット７を専用ケーブル６にて接続することで、信号の伝達経路が構築されることとなる。
【００２２】
端子台２における結線４の信号状態をタブレット７へ伝達させるために、信号を検知する機能を有した電圧検知回路１１が、端子台試験用装置５内に構築されている。また、端子台試験用装置５は、コモン線を認識させるためのコモン識別接点９が設けられており、接点を動作させることで、コモン線を指定できる機能を備えている。
【００２３】
さらに、端子台試験用装置５は、シグナル線に対するコモン線を認識するためのコモン共有接点１０が設けられており、接点を動作させることで、それぞれのシグナル線に対するコモン線を指定できる機能を備えている。
【００２４】
この結果、コモン線−シグナル線間の電圧検知により信号状態を検出でき、検出した信号状態をタブレット７にて確認できることとなる。
【００２５】
次に動作について説明する。
配電盤内における端子台２に接続されている結線４の信号状態を確認するために、端子台試験用装置５を端子台２へ設置し、端子台ネジ部３と端子台試験用装置５の接触子８を接触させる。
【００２６】
これにより、結線４ａ、結線４ｂの信号状態が、端子台ネジ部３ａと端子台ネジ部３ｂを介して接触子８ａ、接触子８ｂへと伝えられ、さらに、端子台試験用装置５へと結線４の信号状態が伝達される。
【００２７】
ここで、結線４ａをコモン線、結線４ｂをシグナル線と想定した場合、コモン識別接点９ａをＯＮ状態にすることで、端子台試験用装置５は、結線４ａをコモン線と認識することができる。また、コモン共有接点１０ａをＯＮ状態とすることで、端子台試験用装置５は、コモン線に対するシグナル線の信号状態を認識することができる。
【００２８】
すなわち、このような接点の設定により、結線４ａと結線４ｂのコモン線−シグナル線の接続状態が、電圧検知回路１１へ伝達される。そして、電圧検知回路１１は、シグナル線である結線４ｂの信号状態をディジタル信号１２へと変換して、専用ケーブル６にてタブレット７へ信号を伝達することができる。
【００２９】
この結果、試験員は、タブレット７上に表示される信号状態をモニタすることで、端子台２に接続された結線の信号状態を、容易に確認することができ、試験時にテスターによる信号状態の確認作業をなくすことができる。
【００３０】
以上のように、実施の形態１によれば、コモン識別接点およびコモン共有接点を適切に設定した端子台試験用装置を試験対象である端子台に接続することにより、タブレットにおいて、端子間の信号状態を容易にモニタできる構成を備えている。この結果、現場での特別な配線作業を不要とし、作業時間の短縮化を実現できる。
【００３１】
実施の形態２．
本実施の形態２では、タブレット７側からの操作により、所望の端子間接続を容易に構築できる構成をさらに備えた場合について説明する。
【００３２】
図４は、本発明の実施の形態２における配電盤試験監視装置の回路図である。本実施の形態２における端子台試験用装置５は、リレー回路１５とトランジスタ回路１６を含んで内部回路１８が構成されている。一方、タブレット７内には、タブレット側から端子台試験用装置５内のリレー回路１５をＯＮ／ＯＦＦ制御するためのタブレット内部回路１７が構成されている。
【００３３】
このような内部回路１８を搭載した端子台試験用装置５を端子台２へ設置し、端子台ネジ部３と接触子８とを接触させる。また、端子台試験用装置５とタブレット７を専用ケーブル６にて接続することで、タブレット７側からの操作に基づいて、所望のシグナル線を選択して、信号状態の伝達経路を構築することができる構成となっている。
【００３４】
本実施の形態２では、端子台２に接続した結線４の端子間接続の模擬回路を構築する際に、タブレット内部回路１７にて、所望の設定のＯＮ状態とする。具体例として、タブレット内部回路１７の接点１７ａと接点１７ｂをＯＮ指示すると、指示した信号が専用ケーブル６より伝達され、トランジスタ１６ａ、トランジスタ１６ｂが起動する。
【００３５】
この結果、トランジスタ回路１６内の接点がＯＮとなり、リレー１５ａ、リレー１５ｂが動作することで、端子台試験用装置５の接触子８ａと接触子８ｂ間が導通し、端子台２に接続された結線４a、結線４ｂの端子間接続を構築することができる。
【００３６】
また、リレー回路１５内の各端子間に接点１４を設け、必要な端子間にてそれぞれの接点１４を動作させることで、各々の端子間においても短絡することができる。この結果、試験時における端子間接続の仮配線作業をなくすことができる。なお、図４では図示を省略しているが、接点１４に関しても、リレー回路１５およびトランジスタ回路１６を適用することで、タブレット７側から容易にＯＮ／ＯＦＦ制御を行うことが可能である。
【００３７】
以上のように、実施の形態２によれば、タブレット側からの操作により、所望の端子間接続を容易に構築することができる。この結果、現場での特別な配線作業を不要とし、作業時間の短縮化を実現できる。
【００３８】
実施の形態３．
本実施の形態３においては、各信号線に対応する位置符号情報をタブレット７上に表示する機能を備えた配電盤試験監視装置について説明する。
【００３９】
図５は、本発明の実施の形態３における配電盤試験監視装置の構成および配線状態を示す斜視図である。先の実施の形態１における図１と比較すると、本実施の形態３における図５の構成は、端子台２にタグシート１９がさらに設けられている点、およびタブレット７がこのタグシートの情報を端子台試験用装置５を介した無線通信により取得できる点が異なっている。そこで、これらの相違点を中心に、以下に説明する。
【００４０】
図５に示すように、本実施の形態３におけるタグシート１９は、端子台２の上部に貼り付けられており、ＨＦ帯の非接触ＩＣインレイやバーコード等をシール状に加工したものに、位置符号情報が搭載されて構成されている。
【００４１】
端子台試験用装置５は、タグシート１９までの距離を５〜３０ｃｍ程接近させた状態で端子台２へ設置されることで、無線通信にて位置情報を読み取れる機能を備えている。そして、端子台試験用装置５とタブレット７を専用ケーブル６で繋ぐことで、端子台試験用装置５によって読み取られた位置符号情報は、タブレット７へ伝達される。
【００４２】
図６は、本発明の実施の形態３におけるタブレット７上に表示された端子図を示す説明図である。タブレット７は、読み込んだ位置符号情報をキーワード検索にて該当部位の端子図２１に、結線４ａ、結線４ｂとともに、それらに対応する信号項目２０を表示させる。この結果、試験員は、配電盤内の端子図２１、および結線４の信号項目を、タブレット７上で容易に確認することができ、図面検索作業時間の短縮化を実現できる。
【００４３】
以上のように、実施の形態３によれば、端子台にあらかじめ添付された情報を無線通信で読み取り、端子に対応する信号項目を、タブレット上に表示できる機能を備えている。この結果、現場において展開接続図、端子図等の紙図面を確認する手間が省略でき、作業時間の短縮化を実現できる。
【００４４】
さらに、タブレットに表示した情報に基づいて、直接試験を実施する器具や端子を指示できるため、従来のように紙図面を見て、人間の目視により器具や端子を探し当てていたために発生する誤りについても、防止することができる。
【００４５】
実施の形態４．
先の実施の形態１〜３では、端子台試験用装置５が接触子８を有しており、接触子８を端子台ネジ部３に直接接触させ、信号状態を読み取る構成について説明した。これに対して、本実施の形態４では、端子台ネジ部３に直接接触させない接触子を備えることで、信号状態を読み取る構成について説明する。
【００４６】
図７は、本発明の実施の形態４における配電盤試験監視装置の構成および配線状態を示す斜視図である。また、図８は、本発明の実施の形態４における配電盤試験監視装置に含まれている器具試験用装置の構成を示す斜視図である。
【００４７】
本実施の形態４における器具試験用装置２５は、配電盤内の器具部２２において、器具やリレーの装着用に取り付けられたソケット２７のピン差込口２６に挿入される構成となっている。
【００４８】
ここで、ソケット２７は、端子と１対１に接続されたピン差込口２６を有しており、図７においては、結線２４ａ、結線２４ｂに対応するピン差込口２６が、ピン差込口２６ａ、ピン差込口２６ｂとして例示されている。
【００４９】
一方、器具試験用装置２５は、図８に示すように、ソケット２７のピン差込口２６に挿入される接触子２８を有しており、ピン差込口２６ａ、ピン差込口２６ｂに対応する接触子２８が、接触子２８ａ、接触子２８ｂとして例示されている。
【００５０】
図９は、本発明の実施の形態４における配電盤試験監視装置の回路図である。本実施の形態４における器具試験用装置２５は、リレー回路２９とトランジスタ回路３０を含んで内部回路３１が構成されている。一方、タブレット７内には、タブレット側から器具試験用装置２５内のリレー回路２９をＯＮ／ＯＦＦ制御するためのタブレット内部回路１７が構成されている。
【００５１】
このような内部回路３１を搭載した器具試験用装置２５をソケット２７へ設置し、ピン差込口２６と接触子２８とを接触させる。また、器具試験用装置２５とタブレット７を専用ケーブル６にて接続することで、タブレット７側からの操作に基づいて、所望のシグナル線を選択して、信号状態の伝達経路を構築することができる構成となっている。
【００５２】
本実施の形態４では、ソケット２７に接続した結線２４に関して、リレー接点動作による模擬回路を構築する際に、タブレット内部回路１７にて、所望の設定動作を行わせることができる。具体例として、タブレット内部回路１７の接点１７ａをＯＮ指示すると、指示した信号が専用ケーブル６より伝達され、トランジスタ回路３０ａが起動する。
【００５３】
この結果、トランジスタ回路３０ａ内の接点がＯＮとり、リレー２９ａが動作することで、器具試験用装置２５の接触子２８ａと接触子２８ｂ間が導通し、ピン差込口ａ２６ａ、ピン差込口ｂ２６ｂのそれぞれに接続された結線２４ａ、結線２４ｂのリレー接点動作による接続状態を、模擬的に構築することができる。
【００５４】
従って、試験時におけるリレー等の器具の接点動作の仮作業をなくした上で、接点動作による動作確認を容易に行うことができる。
【００５５】
また、図７に示したように、本実施の形態４では、先の実施の形態３におけるタグシート１９に相当するタグシート２３が、配電盤内の器具部２２の上部に貼り付けられている。すなわち、このタグシート２３は、ＨＦ帯の非接触ＩＣインレイやバーコード等をシール状に加工したものに、位置符号情報が搭載されて構成されている。
【００５６】
器具試験用装置２５は、タグシート２３までの距離を５〜３０ｃｍ接近させた状態でソケット２７に設置されることで、無線通信にて位置情報を読み取れる機能を備えている。そして、器具試験用装置２５とタブレット７を専用ケーブル６で繋ぐことで、器具試験用装置２５によって読み取られた位置符号情報は、タブレット７へ伝達される。
【００５７】
図１０は、本発明の実施の形態４におけるタブレット７上に表示された端子図を示す説明図である。タブレット７は、読み込んだ位置符号情報をキーワード検索することで、該当部位の展開接続図３２として表示し、結線２４ａ、結線２４ｂとともに、それらに対応する信号項目を表示させる。この結果、試験員は、配電盤内の展開接続図３２、および結線４の信号項目を、タブレット７上で容易に確認することができ、図面検索作業時間の短縮化を実現できる。
【００５８】
以上のように、実施の形態４によれば、器具やリレーの装着用のソケットに接続する器具試験用装置を用いることで、器具やリレーの模擬的な動作確認を、タブレット７を用いて容易に行うことができる。
【００５９】
実施の形態５．
先の実施の形態１〜４では、端子台、器具の各々に対する信号状態や信号項目を確認する場合、および模擬回路を構築する場合について、端子台試験用装置５あるいは器具試験用装置２５のいずれかを用いる場合について説明した。これに対して、本実施の形態５では、先の実施の形態１〜３で説明した端子台試験用装置５と、先の実施の形態４で説明した器具試験用装置２５を併用する場合について説明する。
【００６０】
図１１は、本発明の実施の形態５における配電盤試験監視装置の構成および配線状態を示す斜視図である。図１１に示すように、配電盤内にて、器具部２２に取付けている器具やリレーの装着用のソケット２７には、それぞれ器具試験用装置２５が設置され、各器具試験用装置２５の間は、専用ケーブル３３にて接続されている。
【００６１】
また、端子台取付部１においても、各端子台２に端子台試験用装置５が設置され、各端子台試験用装置５の間も、専用ケーブル３３にて接続されている。さらに、器具試験用装置２５の１つと、端子台試験用装置５の１つは、専用ケーブル３３にて接続されている。
【００６２】
従って、端子台試験用装置５とタブレット７を専用ケーブル６にて接続することで、端子台試験用装置５と器具試験用装置２５を併用したシステム構成を構築できる。
【００６３】
この結果、配電盤内の各器具、各端子台に信号の伝達経路を設け、タブレット７の指示により、端子台試験用装置５内の内部回路１３、１８にて、端子台の信号状態を確認するとともに、端子間の短絡線等の模擬回路を構築できる。
【００６４】
さらに、器具試験用装置２５内の内部回路３１により、リレー等の器具の接点動作を模擬的に実施できるようになる。従って、配電盤内の制御動作指示、信号状態の確認を、全てタブレット７上にて行うことができるようになる。
【００６５】
また、位置符号情報を搭載したタグシート１９の信号を、タブレット７に取り込むことにより、各部位の端子図および展開接続図を、信号項目とともにタブレット上に表示させることができる。この結果、試験員は、展開接続図等を参照することなく、容易に配電盤内の動作確認試験を行うことができ、配電盤試験時における作業効率化を図ることができる。
【００６６】
以上のように、実施の形態５によれば、端子台試験用装置と器具試験用装置とを併用する構成を備えることで、先の実施の形態１〜４で説明した全ての機構を実現することができる。
【符号の説明】
【００６７】
１  端子台取付部、２  端子台、３、３ａ、３ｂ  端子台ネジ部、４、４ａ、４ｂ  結線、５  端子台試験用装置、６  専用ケーブル、７  タブレット、８、８ａ、８ｂ  接触子、９、９ａ  コモン識別接点、１０、１０ａ  コモン共有接点、１１  電圧検知回路、１２  ディジタル信号、１３  内部回路、１４  接点、１５、１５ａ、１５ｂ  リレー、１６、１６ａ、１６ｂ  トランジスタ、１７  内部回路、１８  内部回路、１９  タグシート、２０  信号項目、２１  端子図、２２  器具部、２３  タグシート、２４、２４ａ、２４ｂ  結線、２５  器具試験用装置、２６、２６ａ、２６ｂ  ピン差込口、２７  ソケット、２８、２８ａ、２８ｂ  接触子、２９  リレー、３０  トランジスタ、３１  器具試験用装置内部回路、３２  展開接続図、３３  専用ケーブル。
【図１】
2017110987.tif 000003
【図２】
2017110987.tif 000004
【図３】
2017110987.tif 000005
【図４】
2017110987.tif 000006
【図５】
2017110987.tif 000007
【図６】
2017110987.tif 000008
【図７】
2017110987.tif 000009
【図８】
2017110987.tif 000010
【図９】
2017110987.tif 000011
【図１０】
2017110987.tif 000012
【図１１】
2017110987.tif 000013